(57)【要約】【課題】業務支援装置に表示されるＧＵＩ画像の操作性を損なうことなく当該画像を用いた確実な情報伝達手段を提供し、業務上のミスの防止に資すること。【解決手段】任意のメッセージの入力を受け付け、入力されたメッセージを記憶手段に記憶する。この記憶手段にメッセージが記憶されていないとき、業務に関する指示がそれぞれ関連付けられた複数の表示部品を配列してなる操作領域を含む第1のグラフィカルユーザインタフェース画像を表示部に表示する。一方、記憶手段にメッセージが記憶されているとき、前記複数の表示部品を小型化することによって第1のグラフィカルユーザインタフェース画像において前記操作領域が占める領域を縮小し、これにより生じた空き領域に記憶手段に記憶されたメッセージを表すメッセージ領域を含めた第２のグラフィカルユーザインタフェース画像を表示部に表示する。【選択図】    図７
2011170704.tif 000002
【特許請求の範囲】
【請求項１】
任意のメッセージを入力するメッセージ入力手段と、
前記メッセージ入力手段によって入力されたメッセージを記憶する記憶手段と、
前記記憶手段にメッセージが記憶されていないとき、業務に関する指示がそれぞれ関連付けられた複数の表示部品を配列してなる操作領域を含む第1のグラフィカルユーザインタフェース画像を表示し、前記記憶手段にメッセージが記憶されているとき、前記複数の表示部品を小型化することによって前記第1のグラフィカルユーザインタフェース画像において前記操作領域が占める領域を縮小し、これにより生じた空き領域に前記記憶手段に記憶されたメッセージを表すメッセージ領域を含めた第２のグラフィカルユーザインタフェース画像を表示する表示手段と、
前記表示手段により表示されている前記第1のグラフィカルユーザインタフェース画像又は前記第２のグラフィカルユーザインタフェース画像に含まれた前記複数の表示部品のうちのいずれかを指定するユーザの操作を入力する操作入力手段と、
前記操作入力手段により入力された操作で指定される表示部品に関連付けられた指示に従って前記業務を支援するための支援処理を実行する処理手段と、
を備えていることを特徴とする業務支援装置。
【請求項２】
前記メッセージ領域の色を指定する色指定手段をさらに備え、
前記表示手段は、前記第２のグラフィカルユーザインタフェース画像を表示しているとき、前記色指定手段によって指定された色で前記メッセージ表示領域を表すことを特徴とする請求項１に記載の業務支援装置。
【請求項３】
前記記憶手段に記憶されたメッセージのアラート時刻を指定するアラート時刻指定手段をさらに備え、
前記表示手段は、前記第２のグラフィカルユーザインタフェース画像を表示しているとき、前記アラート時刻指定手段によって指定されたアラート時刻が到来したことに応じて前記メッセージ領域を強調表示することを特徴とする請求項１又は２に記載の業務支援装置。
【請求項４】
前記記憶手段に記憶されたメッセージの表示期限を指定する表示期限指定手段と、
前記表示期限指定手段によって指定された表示期限が到来したことに応じて前記記憶手段に記憶されたメッセージを消去する消去手段と、
をさらに備えていることを特徴とする請求項１乃至３のうちいずれか１に記載の業務支援装置。
【請求項５】
前記記憶手段は、複数のメッセージを記憶する記憶領域を有し、
前記メッセージ領域は、前記記憶手段に記憶されたメッセージのそれぞれを表す複数の表示領域で構成されていることを特徴とする請求項１乃至４のうちいずれか１に記載の業務支援装置。
【請求項６】
グラフィカルユーザインタフェース画像を表示する表示部と、この表示部に表示されたグラフィカルユーザインタフェース画像に含まれた表示部品を指定するユーザの操作を入力する操作入力部とを備えた業務支援装置の制御プログラムであって、
前記業務支援装置に、
任意のメッセージを入力するメッセージ入力部によって入力されるメッセージを記憶部に記憶させる機能と、
前記記憶部にメッセージが記憶されていないとき、業務に関する指示がそれぞれ関連付けられた複数の表示部品を配列してなる操作領域を含む第1のグラフィカルユーザインタフェース画像を前記表示部に表示させ、前記記憶部にメッセージが記憶されているとき、前記複数の表示部品を小型化することによって前記第1のグラフィカルユーザインタフェース画像において前記操作領域が占める領域を縮小し、これにより生じた空き領域に前記記憶部に記憶されたメッセージを表すメッセージ領域を含めた第２のグラフィカルユーザインタフェース画像を前記表示部に表示させる機能と、
前記表示部に表示されている前記第1のグラフィカルユーザインタフェース画像又は前記第２のグラフィカルユーザインタフェース画像に含まれた前記複数の表示部品のうち、前記操作入力部により入力された操作で指定される表示部品に関連付けられた指示に従って前記業務を支援するための支援処理を実行する機能と、
を実現させるための制御プログラム。
【発明の詳細な説明】
【技術分野】
【０００１】
本発明は、飲食店等において店員が行う注文受付業務などのような業務を支援する業務支援装置およびその制御プログラムに関する。
【背景技術】
【０００２】
種々の店舗における会計業務で使用されるＰＯＳ（Point Of Sales）端末や、飲食店における注文入力に使用されるオーダー端末のように、流通業や外食産業等においては種々の業務支援装置が利用されている。これらの業務支援装置とサーバ装置等の外部機器をネットワークを介して接続して協働させることにより、各種の業務の支援を効率的に行うシステムが構築されることも多い。
【０００３】
上記のような業務支援装置では、ユーザによる指示の入力にＧＵＩ（Graphical User Interface）を利用することが一般的である。このＧＵＩにおける表示画像（ＧＵＩ画像）には、ユーザの指示を入力するための表示部品が複数配列されており、ユーザはポインティングデバイス等を用いて前記表示部品を操作して所望の指示を入力することができる。
【０００４】
業務支援装置を用いて業務を行うに際して、ユーザ自身が行うべき業務を忘れないため、あるいは他のユーザに何らかの情報を伝えるために、付箋紙等にメモ書きして業務支援装置のフレーム等に貼り付けることがある。しかし、付箋紙等は剥がれ落ちる虞があるので情報伝達の確実性に欠ける部分がある。このような問題を解決するため、表示部に表示されるＧＵＩ画像にメモ情報を記述可能な領域を設けた装置も知られている（例えば、特許文献１を参照）。
【発明の概要】
【発明が解決しようとする課題】
【０００５】
前記したようにフレームに付箋を貼り付けたり、表示部に表示されるＧＵＩ画像に設けられた所定領域にメモ情報を表示した場合であっても、常時それが閲覧できる状態にあるならばその状態にユーザが慣れてしまう。そうすると、ユーザがメモを確認しなくなり、メモ本来の役割が果たされなくなる虞がある。さらには、メモとして記述された業務のし忘れが生じるなど、重大なミスに繋がりかねない。
【０００６】
また、主要な業務を行うためのＧＵＩ画像にメモ用の領域が常に表示されていたならば他の表示部品の表示領域が小さくなり、各表示部品が見づらくなって操作しにくいものとなりかねない。
【０００７】
本発明は、上記のような事情に基づいてなされたものであり、その目的は、業務支援装置に表示されるＧＵＩ画像の操作性を損なうことなく当該画像を用いた確実な情報伝達手段を提供し、業務上のミスの防止に資することである。
【課題を解決するための手段】
【０００８】
本発明の一態様における業務支援装置は、任意のメッセージを入力するメッセージ入力手段と、前記メッセージ入力手段によって入力されたメッセージを記憶する記憶手段と、前記記憶手段にメッセージが記憶されていないとき、業務に関する指示がそれぞれ関連付けられた複数の表示部品を配列してなる操作領域を含む第１のグラフィカルユーザインタフェース画像を表示し、前記記憶手段にメッセージが記憶されているとき、前記複数の表示部品を小型化することによって前記第1のグラフィカルユーザインタフェース画像において前記操作領域が占める領域を縮小し、これにより生じた空き領域に前記記憶手段に記憶されたメッセージを表すメッセージ領域を含めた第２のグラフィカルユーザインタフェース画像を表示する表示手段と、前記表示手段により表示されている前記第1のグラフィカルユーザインタフェース画像又は前記第２のグラフィカルユーザインタフェース画像に含まれた前記複数の表示部品のうちのいずれかを指定するユーザの操作を入力する操作入力手段と、前記操作入力手段により入力された操作で指定される表示部品に関連付けられた指示に従って前記業務を支援するための支援処理を実行する処理手段とを備えている。
【発明の効果】
【０００９】
このような手段を講じた本発明によれば、業務支援装置に表示されるＧＵＩ画像の操作性を損なうことなく当該画像を用いた確実な情報伝達手段を提供し、業務上のミスの防止に資することができる。
【図面の簡単な説明】
【００１０】
【図１】本発明の一実施形態における接客支援システムの構成図。
【図２】同システムが有する情報端末の制御構成を示すブロック図。
【図３】同情報端末のＨＤＤに記憶される部門ファイルの構造を示す図。
【図４】同情報端末のＨＤＤに記憶されるＰＬＵファイルの構造を示す図。
【図５】同情報端末のＨＤＤに記憶される付箋データファイルの構造を示す図。
【図６】同情報端末のＬＣＤに表示されるダイアログボックスの一例を示す図。
【図７】同情報端末のＣＰＵが実行する処理のフローチャート。
【図８】同情報端末のＬＣＤに表示されるオーダー入力画面の一例を示す図。
【図９】同オーダー入力画面に付箋領域が表示された状態を示す図。
【図１０】同オーダー入力画面に付箋がポップアップ表示された状態を示す図。
【発明を実施するための形態】
【００１１】
以下、一実施形態について図面を参照しながら説明する。  
なお、本実施形態では、飲食店において注文入力や会計等に使用される接客支援システムを例示する。
【００１２】
［システム構成］  
先ず、当該接客支援システムの全体構成について説明する。  
図１は本実施形態に係る接客支援システムの構成図である。接客支援システムは、３つの情報端末１（業務支援装置）、キッチンプリンタ２およびステーション３をＬＡＮ（local area network）４にそれぞれ接続して構成される。ただし、情報端末１は、１台のみを含んでも良いし、２台または４台以上を含んでも良い。またキッチンプリンタ２は、２台以上を含み得る。
【００１３】
情報端末１は、例えば接客フロアやチェックアウトカウンタに設置され、顧客に対する案内業務、受注業務、給仕（配膳）業務、あるいは会計業務など各種の業務を支援するための処理を行う。特に、接客フロアに設置された情報端末１においては、案内業務、受注業務および給仕（配膳）業務を支援するための処理が主として利用される。またチェックアウトカウンタに設置された情報端末１においては、さらに会計業務を支援するための処理が利用される。なお、情報端末１は、上記の業務の一部のみを支援する処理を行うことにより用途に特化したものとしても良い。すなわち、この情報端末１は、店舗における業務を支援するための業務支援装置としての機能を備えている。
【００１４】
キッチンプリンタ２は、例えばキッチンに設置され、情報端末１から送信された受注情報に基づく調理指示伝票を調理人のために印字する。
【００１５】
ステーション３は、例えばバックヤードに設置され、情報端末１から送信された各種の情報を集計処理し、飲食店の営業に関わる管理業務を支援する。またステーション３は、複数の情報端末１で共通に利用される情報の管理処理を行うこともある。
【００１６】
［情報端末］  
次に、情報端末１の制御構成について説明する。  
図２は情報端末１の制御構成を示すブロック図である。情報端末１は、液晶ディスプレイ（ＬＣＤ）１０、表示コントローラ１１、タッチパネル１２、タッチパネルコントローラ１３、周辺機器インタフェース（周辺機器Ｉ／Ｆ）１４、通信インタフェース（通信Ｉ／Ｆ）１５、ＲＯＭ（read-only memory）１６、ＲＡＭ（random-access memory）１７、タイマ１８、ＨＤＤ（hard disk drive）１９およびＣＰＵ（central processing unit）２０を有する。このうち、表示コントローラ１１、タッチパネルコントローラ１３、周辺機器インタフェース１４、通信インタフェース１５、ＲＯＭ１６、ＲＡＭ１７、タイマ１８、ＨＤＤ１９およびＣＰＵ２０は、バスライン２１にそれぞれ接続されている。ＬＣＤ１０およびタッチパネル１２は、表示コントローラ１１およびタッチパネルコントローラ１３にそれぞれ接続されている。
【００１７】
ＬＣＤ１０は、本実施形態における表示手段として機能するものであり、表示コントローラ１１により駆動されてＧＵＩ画像等を表示する。表示コントローラ１１は、ＣＰＵ２０の制御の下にＲＡＭ１７から転送される画像データに応じた画像が表示されるようにＬＣＤ１０を制御する。
【００１８】
タッチパネル１２は、本実施形態における操作入力手段として機能するものであり、ＬＣＤ１０の表示面に積層配置されている。タッチパネル１２は、ＬＣＤ１０の表示画面へのユーザによるタッチがなされた際に、そのタッチ位置に応じた検出信号を出力する。タッチパネルコントローラ１３は、タッチパネル１２から出力された検出信号に基づいて上記のタッチ位置を表す座標情報を求め、この座標情報をＣＰＵ２０へ送る。
【００１９】
周辺機器インタフェース１４には、プリンタ５や客面表示装置６などの周辺機器が必要に応じて接続される。周辺機器インタフェース１４は、接続されている周辺機器と通信する。なお、プリンタ５は、受注伝票、領収伝票あるいは各種のジャーナルなどを印刷するために利用される。客面表示装置６は、会計結果や広告情報などを顧客に提示する画像の表示に利用される。プリンタ５および客面表示装置６の少なくとも一方は、情報端末１に内蔵されていても良い。
【００２０】
通信インタフェース１５は、キッチンプリンタ２およびステーション３とＬＡＮ４を介して通信する。通信インタフェース１５としては、イーサネット（登録商標）などの汎用規格に準拠したインタフェース回路などを利用できる。
【００２１】
ＲＯＭ１６は、ＣＰＵ２０の処理手順を記述したプログラムや、ＣＰＵ２０が各種の処理を実行する上で必要なデータなどを記憶している。
【００２２】
ＲＡＭ１７は、ＣＰＵ２０が各種の処理を実行する上で必要なデータを必要に応じて記憶する。例えばＲＡＭ１７には、ＬＣＤ１０で表示する画像を表す画像情報が記憶される。またＲＡＭ１７は、ＣＰＵ２０が各種の処理を行う際のワークエリアとしても利用される。
【００２３】
タイマ１８は、情報端末１のシステム日時を計時する。システム日時は、例えば年，月，日，時，分，秒からなる情報である。
【００２４】
ＨＤＤ１９は、ＣＰＵ２０の処理手順を記述したプログラムや、ＣＰＵ２０が各種の処理を実行する上で必要なデータなどを記憶している。ＨＤＤ１９が記憶するデータには、後述する部門ファイルＦ１、ＰＬＵ（price look up）ファイルＦ２、および付箋データファイルＦ３が含まれる。またＨＤＤ１９が記憶するデータには、各種の画像を生成するための素材となる表示部品を表すデータが含まれる。この表示部品には、ＧＵＩ画像に配置するボタン部品も含まれる。
【００２５】
ＣＰＵ２０は、ＲＯＭ１６やＨＤＤ１９に記憶されたプログラムに従って、前述した各種の業務を支援するための処理を実行する。
【００２６】
［ファイル構造］  
続いて、部門ファイルＦ１，ＰＬＵファイルＦ２，および付箋データファイルＦ３のファイル構造について説明する。  
図３は部門ファイルＦ１のファイル構造を示す図である。  
部門ファイルＦ１は、部門番号、部門名、タグ位置および備考の各情報フィールドをそれぞれ含んだ複数のデータレコードの集合からなる。これらのデータレコードは、個別の部門に関する情報がそれぞれ記述される。具体的には、部門番号の情報フィールドには、メニュー品目を分類すべく定められた複数の部門のそれぞれに割り付けられた番号が記述される。部門名の情報フィールドには、上記の部門のそれぞれを識別するための名称が記述される。タグ位置の情報フィールドには、後述するオーダー入力用のＧＵＩ画像におけるボタン部品の配置位置が記述される。備考の情報フィールドには、その他の備考情報が必要に応じて記述される。なお図３においては、いずれのデータレコードも備考情報が記述されていない。
【００２７】
図３の例では、「ドリンク」「デザート」「和膳」「和洋食」「丼もの」「鍋もの」「うどん＆そば」「一品料理」ならびに「健菜とサラダ」なる９つの部門が定められており、これらの部門には「０１」〜「０９」の部門番号がそれぞれ割り付けられていることが部門ファイルに記述されている。そして例えば、「ドリンク」なる部門に対応するボタン部品の配置位置が「２行５列」であることが部門ファイルに記述されている。
【００２８】
図４はＰＬＵファイルＦ２のファイル構造を示す図である。  
ＰＬＵファイルＦ２は、コード、部門、割付、画像、メニュー名、単価、持帰り、奉仕料対象およびボタン色の各情報フィールドをそれぞれ含んだ複数のデータレコードの集合からなる。これらのデータレコードには、個別のメニュー品目に関する情報が記述される。コードの情報フィールドには、個々のメニュー品目に割り付けられたコードが記述される。部門の情報フィールドには、個々のメニュー品目が属する部門の部門番号が記述される。割付の情報フィールドには、オーダー入力用のＧＵＩ画像におけるボタン部品の配置位置が記述される。画像の情報フィールドには、ボタン部品に重畳表示する画像が記述される。メニュー名の情報フィールドには、個々のメニュー品目の名称が記述される。単価の情報フィールドには、個々のメニュー品目の単価が記述される。持帰りの情報フィールドには、個々のメニュー品目の持ち帰りの可否が記述される。奉仕料対象の情報フィールドには、個々のメニュー品目が奉仕料徴収の対象となるか否かが記述される。ボタン色の情報フィールドは、ボタン部品の色が記述される。
【００２９】
図５は、付箋データファイルＦ３のファイル構造を示す図である。  
付箋データファイルＦ３は、本実施形態における記憶手段として機能するものであり、カラー、アラート、モード、期限、およびメッセージをそれぞれ含んだ５つのデータレコードの集合からなる。これらのレコードには、後述するオーダー入力用の画面に表示される付箋イメージＴ１〜Ｔ５に関する情報が記述される。カラーの情報フィールドには、付箋イメージを表示する色が記述される。アラートの情報フィールドには、付箋イメージに記述されたメッセージをユーザに確実に認識させるべく、付箋イメージを強調表示するアラート時刻が記述される。モードの情報フィールドには、付箋イメージを強調表示する態様を指定するアラートモードが記述される。具体的には、アラートの情報フィールドに記述された時刻になると付箋イメージを点滅させる点滅モード、あるいはポップアップにより付箋イメージを拡大表示するポップアップモードのいずれかが記述される。期限の情報フィールドには、各レコードに記述された情報を有効なものとして扱う表示期限が例えば年，月，日，時，分の単位で記述される。この表示期限が到来すると、その付箋イメージに関するレコードに記述された情報が消去される。メッセージの情報フィールドには、付箋イメージに表示すべきメッセージが記述される。
【００３０】
付箋データファイルＦ３の編集方法について説明する。  
付箋データファイルＦ３の各レコードは、所定のタイミングでＬＣＤ１０に表示されるダイアログボックス１００を介して編集することができる。ダイアログボックス１００の一例を図６に示している。
【００３１】
このダイアログボックス１００は、編集対象である付箋イメージに記述すべきメッセージを作成するための領域１００Ａ（メッセージ入力手段）、当該付箋イメージの色やアラートなどに関する条件を指定するための領域１００Ｂ、当該付箋イメージの作成をキャンセルしてダイアログボックス１００を閉じるキャンセルボタン１０１、当該付箋イメージのレコードに記述された情報を削除してダイアログボックス１００を閉じる削除ボタン１０２、領域１００Ａおよび領域１００Ｂにて指定された内容を当該付箋イメージに関するレコードに反映してダイアログボックスを閉じる閉ボタン１０３等の表示部品を有している。ダイアログボックス１００が有する各表示部品は、いずれもその表示位置をタッチすることで操作可能である。
【００３２】
領域１００Ａは、編集中のメッセージを表示する表示エリア１１０、この表示エリア１１０にメッセージを入力するボタン群１１１、表示エリア１１０に表示されたキャレットを上下左右に移動させるボタン群１１２、表示エリア１１０に入力された文字列を平仮名，片仮名，漢字，アルファベット等の異なる文字列間で変換する変換ボタン１１３、前記キャレットの左側に表示された文字を削除するクリアボタン１１４、表示エリア１１０に表示された文字列を付箋イメージに表示するメッセージとして確定させる確定ボタン１１５、および確定ボタン１１５で確定された文字列を表示する拡大イメージ１１６を有している。  
拡大イメージ１１６は、ヘッダ１１６ａと、確定ボタン１１５で確定されたメッセージを表示する表示エリア１１６ｂとで構成されている。ボタン群１１１を構成する各ボタンを連続して操作すると、入力候補となる文字が例えば「あいうえお」のように変化しながら表示エリア１１０のキャレットが示す位置に表示される。そして、他のボタンが操作されたタイミングで表示エリア１１０に表示されている文字が入力対象として決定される。
【００３３】
領域１００Ｂは、付箋イメージの色を選択するカラー選択ボックス１２０、アラート機能の有効／無効を選択するチェックボックス１２１、アラート時刻を指定するコンボボックス１２１ａ、アラートモードを点滅モードまたはポップアップモードのいずれに設定するかを選択するラジオボタン１２１ｂ、付箋イメージの表示期限機能の有効／無効を選択するチェックボックス１２２、表示期限を指定するコンボボックス１２２ａ，１２２ｂ，１２２ｃ，１２２ｄ等の表示部品を有している。  
カラー選択ボックス１２０は、本実施形態における色指定手段として機能するものであり、例えば赤、青、黄、緑、紫…のように配列されたボックスの中から１つの色を選択する部品である。カラー選択ボックス１２０でいずれかの色が選択されると、それに合わせて拡大イメージ１１６が当該選択された色に切り替わる。但し、表示エリア１１６ｂに表示されるメッセージの視認性が損なわれないように、表示エリア１１６ｂの色をヘッダ１１６ａの色に比べて薄く表示する。コンボボックス１２１ａは、本実施形態におけるアラート時刻指定手段として機能するものであり、右端に設けたチェックボタンが操作されたことに応じて時刻を所定間隔毎に配置したリストを表示し、該リストの中から選択された時刻を表示する。コンボボックス１２２ａ〜１２２ｄは、本実施系形態における表示期限指定手段として機能するものであり、右端に設けたチェックボタンが操作されたことに応じてそれぞれ西暦，月，日，時刻を所定間隔毎に配置したリストを表示し、該リストの中から選択された西暦，月，日，時刻を表示する。
【００３４】
前記閉ボタン１０３が操作されると、付箋データファイルＦ３の各レコードのうち、ダイアログボックス１００による編集対象となった付箋イメージに関するレコードが更新される。すなわち、当該レコードのカラーの情報フィールドがカラー選択ボックス１２０で選択された色に更新され、チェックボックス１２１がチェックされている場合にはアラートの情報フィールドがコンボボックス１２１ａに表示されたアラート時刻で更新されるとともにモードの情報フィールドがラジオボタン１２１ｂで選択されたアラートモードで更新され、期限の情報フィールドがコンボボックス１２１ａ〜１２１ｄに表示された期限で更新され、メッセージの情報フィールドが拡大イメージ１１６の表示エリア１１６ｂに表示されたメッセージで更新される。
【００３５】
［動作］  
次に接客支援システムの動作について説明する。  
顧客の注文についてのオーダー情報が店員によって情報端末１に入力されると、入力されたオーダー情報はＬＡＮ４を介してステーション３に伝送される。ステーション３は、到来したオーダー情報を、会計処理や集計処理などのために管理する。またステーション３は、オーダー情報をＬＡＮ４を介してキッチンプリンタ２へと送信する。キッチンプリンタ２は、到来したオーダー情報に応じた内容の調理指示伝票を印字する。
【００３６】
さて、上記のようなオーダー情報の入力に使用される情報端末１は、例えば店員によってオーダー入力モードに設定される。このオーダー入力モードが設定されているときにＣＰＵ２０は、ＲＯＭ１６に記憶された制御プログラムを実行することにより、図７に示すフローチャートに沿った処理を実現する。ただし、図７においては本実施の形態の特徴的な一部の処理のみを示している。
【００３７】
当該処理において、先ずＣＰＵ２０は、オーダー入力用のＧＵＩ画像の画像データをＲＡＭ１７に設けたワークエリアに生成する（ステップＳ１）。具体的には、ＣＰＵ２０は図８に示すようなレイアウトのオーダー入力画面７０（第1のグラフィカルユーザインタフェース画像）を示す画像データをＲＡＭ１７に生成する。
【００３８】
このオーダー入力画面７０は、高さＨ（Ｈ＞０），幅Ｗ（Ｗ＞０）の操作領域７１を有している。操作領域７１は、オーダーの入力業務に関する指示がそれぞれ関連付けられた複数の表示部品を配列してなる領域であり、領域７１ａ，７１ｂ，７１ｃを含んでいる。領域７１ａには、オーダー入力の結果が表示される。領域７１ｂには、メニュー品目を指定するための複数のボタン部品が配列される。領域７１ｃには、オーダー入力操作に関わる付加機能を指定するための複数のボタン部品が配列される。領域７１ｃに配列されたボタン部品には、付箋データの生成を宣言する付箋ボタン７２が含まれている。
【００３９】
領域７１ｂに配置されるボタン部品には、部門がそれぞれ関連付けられた複数のボタン部品と、メニュー品目がそれぞれ関連付けられた複数のボタン部品とが含まれている。部門がそれぞれ関連付けられた複数のボタン部品が配列される領域と、メニュー品目がそれぞれ関連付けられた複数のボタン部品が配列される領域とは、それぞれ個別に予め定義されており、ＣＰＵ２０は、これらの領域内での各ボタン部品の位置を部門ファイルＦ１およびＰＬＵファイルＦ２に記述された情報に基づいて決定する。そしてＣＰＵ２０は、領域７１ｂ，７１ｃに配置すべきボタン部品の情報をＨＤＤ１９から取得して、その情報を配置位置に応じてＲＡＭ１７に展開する。
【００４０】
なお、領域７１ａの機能を把握し易くするために、図８における領域７１ａはオーダー入力がなされた後の状態を示している。しかし、ＣＰＵ２０が図７に示すフローチャートに沿った処理を開始した当初においてステップＳ１の処理で生成される画像データには、具体的なオーダー入力の結果を示す情報はまだ含まれていない。
【００４１】
このような構成のオーダー入力画面７０の画像データを生成したならば、ＣＰＵ２０は、付箋データファイルＦ３の各レコードに情報が記述されているか否かを判定する（ステップＳ２）。このとき、付箋データファイルＦ３の全てのレコードに情報が記述されていないならば（ステップＳ２のＮｏ）、ＣＰＵ２０は、ステップＳ１の処理にて生成した画像データを表示コントローラ１１に出力し、ＬＣＤ１０への表示を指示する（ステップＳ３）。これに応じて表示コントローラ１１はＬＣＤ１０を駆動して、オーダー入力画面７０を表示させる。
【００４２】
ステップＳ２の処理において、付箋データファイルＦ３の各レコードのうちの少なくとも１つに情報が記述されている場合（ステップＳ２のＹｅｓ）ＣＰＵ２０は、ステップＳ１の処理において生成したオーダー入力画面７０の画像データに付箋イメージの表示領域を付加した画像データをＲＡＭ１７に設けたワークエリアに生成し（ステップＳ４）、当該付箋イメージの表示領域に付箋データファイルＦ３の内容を反映する（ステップＳ５）。具体的には、ＣＰＵ２０は図９に示すようなレイアウトのオーダー入力画面８０（第２のグラフィカルユーザインタフェース画像）を示す画像データをＲＡＭ１７に生成する。
【００４３】
このオーダー入力画面８０は、図８に示したオーダー入力画面７０の操作領域７１に含まれるボタン部品，イメージ，文字等を小型化することにより、操作領域７１の高さをＨのまま変えずに幅をＷ１（０＜Ｗ１＜Ｗ）に縮小して右詰めし、これにより空いた領域に高さＨ、幅Ｗ２（＝Ｗ−Ｗ１）の付箋領域８１（メッセージ領域）を表示したものである。
【００４４】
付箋領域８１は、縦一列に配置された５つの付箋イメージＴ１〜Ｔ５を有している。付箋イメージＴ１〜Ｔ５は、それぞれ付箋データファイルＦ３のカラーの情報フィールドに記述された色で表示される。また、付箋イメージＴ１〜Ｔ５には、それぞれ付箋データファイルＦ３のメッセージの情報フィールドに記述されたメッセージが表される。なお、図９に示した例では、図５に示した付箋データファイルＦ３の各レコードに対応する付箋イメージＴ１〜Ｔ５を表示している。すなわち、付箋イメージＴ１は赤色で、かつ「［注目！］生ビール・・・」なるメッセージが表示され、付箋イメージＴ２は赤色で、かつ「１０／１から秋の・・・」なるメッセージが表示され、付箋イメージＴ３は赤色で、かつ「メニューにはない・・・」なるメッセージが表示され、付箋イメージＴ４は青色で、かつ「忘れるな・・・」なるメッセージが表示されている。ここで、付箋イメージＴ５のレコードには情報が記述されていない。このようにレコードに情報が記述されていない付箋イメージに関しては、白や灰色等の目立たないデフォルト色で半透明化して表示される。  
ステップＳ４，Ｓ５の処理において上記のような付箋領域８１を有するオーダー入力画面８０の画像データを生成すると、ＣＰＵ２０は、当該画像データを表示コントローラ１１に出力し、ＬＣＤ１０への表示を指示する（ステップＳ３）。これに応じて表示コントローラ１１はＬＣＤ１０を駆動して、オーダー入力画面８０を表示させる。
【００４５】
オーダー入力画面７０またはオーダー入力画面８０がＬＣＤ１０に表示された状態において、ＣＰＵ２０は、表示中のオーダー入力画面に対するＧＵＩ操作を待ち受ける（ステップＳ６）。なお本実施形態では、ＧＵＩ操作はＬＣＤ１０の表示画面をユーザが指などでタッチすることにより行われる。そこでＣＰＵ２０は、タッチパネルコントローラ１３からの出力を監視し、タッチパネルコントローラ１３から検出信号が出力されたならば、ユーザによるＧＵＩ操作がなされたと判断する。
【００４６】
ＧＵＩ操作がなされたと判断したとき（ステップＳ６のＹｅｓ）、ＣＰＵ２０は、当該ＧＵＩ操作による指示の内容を判定する（ステップＳ７）。具体的には、タッチパネルコントローラ１３から出力された検出信号に基づいてタッチ位置を特定し、そのタッチ位置に表示されているＧＵＩ部品に関連付けられた指示が何であるのかを判定する。例えば、ユーザがメニュー品目が関連付けられたボタン部品をタッチするように表示画面にタッチしたならば、当該ＧＵＩ操作による指示は、該当するボタン部品に関連付けられたメニュー品目の注文入力であると判定する。
【００４７】
付箋イメージの編集以外の機能が指定されたならば（ステップＳ７の「その他」）、ＣＰＵ２０は、その指定に応じた図示しない処理に移行し、その処理を実行する。例えば、部門が関連付けられたボタン部品をタッチすることによって部門の切り換えが指定されたならば、ＣＰＵ２０は、タッチされたボタン部品に関連付けられた部門に属するメニュー品目のボタン部品が配列されるように領域７１ｂを更新する。また、メニュー品目が関連付けられたボタン部品をタッチすることによってオーダー情報が入力されたならば、ＣＰＵ２０は、タッチされたボタン部品に関連付けられたメニュー品目に関するオーダー情報をステーション３に送信するとともに、そのオーダー入力の結果を表すように領域７１ａの表示内容を更新する。なお、オーダー入力モード以外の処理の起動やオーダー入力モードの停止のように、図７の処理の終了条件に合致する要求がなされた場合を除き、操作に応じた処理の完了後にＣＰＵ２０はステップＳ６の待ち受け状態に戻る。
【００４８】
一方、オーダー入力画面７０またはオーダー入力画面８０の付箋ボタン７２の操作によって付箋イメージの編集が指定されている場合や、オーダー入力画面８０に表示された付箋イメージＴ１〜Ｔ５のいずれかがタッチされた場合には（ステップＳ７の「付箋編集」）、ＣＰＵ２０は、図６に示したようなダイアログボックス１００の画像データを表示コントローラ１１に出力し、ＬＣＤ１０への表示を指示する（ステップＳ８）。これに応じて表示コントローラ１１はＬＣＤ１０を駆動して、ダイアログボックス１００を表示させる。なお、付箋ボタン７２がタッチされたことによりダイアログボックス１００が表示されたのであれば、ステップＳ８の処理において表示されるダイアログボックス１００の編集対象は、付箋データファイルＦ３のレコードの中でデータが記述されていない最上段のレコードとなる。また、オーダー入力画面８０がＬＣＤに表示されている場合に付箋イメージＴ１〜Ｔ５の何れかがタッチされたことによりダイアログボックス１００が表示されたのであれば、ステップＳ８の処理において表示されるダイアログボックス１００の編集対象は、付箋データファイルＦ３の当該タッチされた付箋イメージに関するレコードとなる。
【００４９】
なお、ステップＳ８の処理においては、オーダー入力画面７０に重複させてダイアログボックス１００を表示させてもよいし、オーダー入力画面７０を一旦消去した状態でダイアログボックス１００を表示させてもよい。
【００５０】
ＬＣＤ１０にダイアログボックス１００が表示された状態において、ＣＰＵ２０は、ダイアログボックス１００に設けられた各ＧＵＩ部品の操作を受け付ける（ステップＳ９）。ＣＰＵ２０は、ステップＳ９の処理をダイアログボックス１００が閉じられるまで継続する（ステップＳ１０のＮｏ）。やがて、ダイアログボックス１００のキャンセルボタン１０１、削除ボタン１０２、または閉ボタン１０３のいずれかがタッチされてダイアログボックス１００が閉じられると（ステップＳ１０のＹｅｓ）、ＣＰＵ２０は、再びオーダー入力画面７０を示す画像データを生成し（ステップＳ１）、付箋データファイルＦ３の各レコードに情報が記憶されているか否かを判定する（ステップＳ２）。そして判定結果に基づいてオーダー入力画面７０またはオーダー入力画面８０のいずれか一方をＬＣＤ１０に表示させ（ステップＳ３）、ＧＵＩ操作を待ち受ける（ステップＳ６）。
【００５１】
このようにステップＳ２〜Ｓ１０の処理を繰り返している間、ＣＰＵ２０は、タイマ１８が計時するシステム時刻を監視して、付箋データファイルＦ３のアラートの情報フィールドに記述されたアラート時刻、および、期限の情報フィールドに記述された表示期限の到来を待ち受けている。
【００５２】
付箋イメージＴ１〜Ｔ５のいずれかに関するレコードに記述されたアラート時刻が到来すると、ＣＰＵ２０は、当該アラート時刻が到来したレコードのモードの情報フィールドを参照して、点滅モードまたはポップアップモードのいずれが記述されているかを判定する。当該情報フィールドに点滅モードが記述されている場合、ＣＰＵ２０は、付箋領域８１に表示された当該レコードに係る付箋イメージを点滅させる。この点滅は、例えば当該付箋イメージがタッチされるまで継続される。一方、当該情報フィールドにポップアップモードが記述されている場合、ＣＰＵ２０は、付箋領域８１に表示された当該付箋イメージを拡大したポップアップを表示する。このとき表示されるポップアップの一例を図１０に示している。この例では、付箋イメージＴ１を拡大したポップアップ９０をオーダー入力画面８０上に表示している。ポップアップ９０は、付箋領域８１に表される付箋イメージをそのまま拡大した拡大イメージ９１と、ＯＫボタン９２とを有している。このポップアップ９０は、ＯＫボタン９２がタッチされるまで継続して表示される。
【００５３】
一方、付箋イメージＴ１〜Ｔ５のいずれかに関するレコードに記述された表示期限が到来すると、ＣＰＵ２０は、付箋データファイルＦ３から当該付箋イメージに関するレコードに記述された情報を消去する（消去手段）。このとき、ＣＰＵ２０は、付箋領域８１に表示された当該付箋イメージからメッセージを消去するとともに色をデフォルト色に戻して半透明化する。
【００５４】
［作用］  
上記のような構成による作用について説明する。  
図７に示したフローチャートに沿った処理をＣＰＵ２０が実行することにより、オーダー入力画面に付箋領域を表示する期間を最小減に止めることができる。  
例えば、オーダー入力画面７０がＬＣＤ１０に表示されている状態でダイアログボックス１００が表示され（ステップＳ８）、付箋データファイルＦ３のレコードに情報が記述されてダイアログボックス１００が閉じられると（ステップＳ８，Ｓ９）、次回のステップＳ２の処理において付箋データファイルＦ３のレコードに情報が記述されていると判定される（ステップＳ２のＹｅｓ）。したがって、ステップＳ４，Ｓ５の処理を経て、付箋領域８１を有するオーダー入力画面８０がＬＣＤ１０に表示されることになる（ステップＳ３）。
【００５５】
一方、付箋領域８１を有するオーダー入力画面８０がＬＣＤ１０に表示されている状態でダイアログボックス１００が表示され（ステップＳ８）、付箋データファイルＦ３のレコードに記述された情報が全て削除された後にダイアログボックス１００が閉じられると（ステップＳ８，Ｓ９）、次回のステップＳ２の処理において付箋データファイルＦ３のレコードに情報が記述されてないと判定される（ステップＳ２のＮｏ）。したがって、ステップＳ４，Ｓ５の処理を経ずに、付箋領域８１を有さないオーダー入力画面７０がＬＣＤ１０に表示されることになる（ステップＳ３）。
【００５６】
また、付箋領域８１を有するオーダー入力画面８０がＬＣＤ１０に表示されている状態で付箋データファイルＦ３のレコードに記述された表示期限が到来し、付箋データファイルＦ３の各レコードに記述された情報が全て消去されると、次回のステップＳ２の処理において付箋データファイルＦ３のレコードに情報が記述されてないと判定される（ステップＳ２のＮｏ）。したがって、ステップＳ４，Ｓ５の処理を経ずに、付箋領域８１を有さないオーダー入力画面７０がＬＣＤ１０に表示されることになる（ステップＳ３）。
【００５７】
このように、本実施形態における情報端末１は、オーダー入力画面に付箋領域８１を表示する期間を最小減に止めている。したがって、付箋領域８１を表示する機能を設けた場合であってもＬＣＤ１０に表示されるＧＵＩ画像の操作性が大きく損なわれることはない。
【００５８】
また、ダイアログボックス１００を用いた設定により、付箋領域８１を表示する色をユーザが自由に指定することができる。この機能を用いれば、例えば重要度の高いメッセージを表す付箋を目立たせるなどして、付箋領域８１を用いた情報伝達力を一層高めることができる。
【００５９】
また、付箋データファイルＦ３のレコードにアラート時刻を記述しておけば、当該アラート時刻の到来によって、当該レコードに記述されたメッセージを表す付箋が点滅またはポップアップによる拡大表示のいずれかにより強調表示される。この機能を用いれば、重要なメッセージを所望のタイミングで確実に情報端末１の操作者に認識させることができる。
【００６０】
また、付箋データファイルＦ３のレコードに表示期限を記述しておけば、当該期限の到来によって、自動的に当該レコードに記述された情報が消去される。この機能を用いれば、既に表示する必要がなくなったメッセージをユーザがいちいち削除する必要がなくなるし、不要なメッセージがいつまでも消去されずにオーダー入力画面に表示され続ける事態を防止することもできる。
【００６１】
このように情報端末１は、付箋領域８１に表された特定の付箋の色を指定された色に変更する機能と、アラート時刻において当該付箋を強調表示する機能と、表示期限において当該メッセージを自動消去する機能とを備えている。これら各機能を用いることで、ユーザに確実に付箋に表されたメッセージを認識させ、業務のし忘れなどの重大なミスの発生を未然に防止することができる。
【００６２】
なお、本発明は、前記実施形態そのままに限定されるものではなく、実施段階ではその要旨を逸脱しない範囲で構成要素を変形して具体化できる。具体的な変形例としては、例えば次のようなものがある。  
（１）すなわち、前記実施形態では、飲食店などで使用される接客支援システムで使用される情報端末１について説明した。しかしながら、前記実施形態にて開示した構成を、販売店における商品購入の注文の受け付けのような受注業務を支援する装置などに適用することも可能である。
【００６３】
（２）また、前記実施形態では、タッチパネル１２にタッチすることでＬＣＤ１０に表示されたＧＵＩ画像を操作するとした。しかしながら、ＧＵＩ画像に配置された表示部品は、マウス等のポインティングデバイスを用いて操作するようにしてもよい。
【００６４】
（３）また、前記実施形態では、オーダー入力画面に付箋領域８１を表示する際に操作領域７１に含まれるボタン部品，イメージ，文字等を小型化するとした。しかしながら、操作領域７１を縮小する際にボタン部品のみを縮小し、ボタン部品上に示す文字のサイズは変更しないこととしてもよい。そうすれば、ボタン部品上の文字の視認性が保たれ、各ボタン部品の機能をユーザが容易に判別することが可能となる。この場合に縮小されたボタン部品の上に文字を配置しきれなくなる場合には、例えば改行を新たに加えるか、あるいは既に改行状態であるならば改行位置を変更するなどして、全ての文字を縮小されたボタン部品の上に配置することが望ましい。
【００６５】
この他、前記実施形態に開示されている複数の構成要素の適宜な組み合わせにより、種々の発明を形成できる。例えば、前記実施形態に示される全構成要素から幾つかの構成要素を削除してもよい。さらに、異なる実施形態にわたる構成要素を適宜組み合わせてもよい。
【符号の説明】
【００６６】
Ｆ３…付箋データファイル、１…情報端末、１０…ＬＣＤ、１２…タッチパネル、１６…ＲＯＭ、１７…ＲＡＭ、１８…タイマ、１９…ＨＤＤ、２０…ＣＰＵ、７０，８０…オーダー入力画面、８１…付箋領域、１００…ダイアログボックス
【先行技術文献】
【特許文献】
【００６７】
【特許文献１】特開２００７−１６４４９１号公報
【図１】
2011170704.tif 000003
【図２】
2011170704.tif 000004
【図３】
2011170704.tif 000005
【図４】
2011170704.tif 000006
【図５】
2011170704.tif 000007
【図６】
2011170704.tif 000008
【図７】
2011170704.tif 000009
【図８】
2011170704.tif 000010
【図９】
2011170704.tif 000011
【図１０】
2011170704.tif 000012